(57)【要約】【課題】本発明は、外気温センサを収納するセンサケースの室外機への取付けを確実なものにしながら、別途部品を不要として、部品点数の削減と、センサケースの取付け作業の迅速化を図り、工数およびコストの低減化に寄与する空気調和装置の室外機を提供する。【解決手段】室外機筐体の背面側の側面板に設けられ、外方へ膨出する係止部と、外気温センサを収納する外気温センサケースの側面に設けられ、前記係止部に挿入される係止片とを具備する。【選択図】      図６
2006200874.tif 000002
【特許請求の範囲】
【請求項１】
圧縮機と、熱交換器と、この熱交換器に対向して配置される送風機とを内部に収納する筐体と、前記熱交換器の外側に設けられ、外気温を検知する外気温センサと、この外気温センサを収納する外気温センサケースと、上記圧縮機、送風機などを駆動制御するための制御部品が装着され、前記外気温センサが接続される制御基板等を収納する電気部品箱とを具備した空気調和装置の室外機において、
前記筐体の背面側の側面板に設けられ、外方へ膨出する係止部と、外気温センサケースの側面に設けられ、前記係止部に挿入される係止片とを具備したことを特徴とする空気調和装置の室外機。
【請求項２】
前記外気温センサケースは、上面側に前記熱交換器の上端部に引っ掛けられる係止片と、この係止片に対向して設けられ、前記外気温センサのリード線を前記筐体の天板の端部との接触を防ぐための保護部を有することを特徴とする請求項１に記載の空気調和装置の室外機。
【請求項３】
前記外気温センサケースの側面に設けられた係止片は、前記熱交換器の端板に当接することを特徴とする請求項１または２に記載の空気調和装置の室外機。
【発明の詳細な説明】
【技術分野】
【０００１】
本発明は、空気調和装置の室外機に係り、特に外気温を検知する外気温センサの取り付け構造の改良に関する。
【背景技術】
【０００２】
一般に、空気調和装置は、室外機に外気温を検出するための外気温センサを設け、検出された外気温に応じて室外制御装置により送風機および圧縮機等の運転が制御されるようになっている。
この外気温センサは、室外機の背面側に配置される熱交換器の外側に取付けられている。
例えば、［特許文献１］では、室外熱交換器の上面に補強板を配置し、この補強板に凹部を設け、この凹部に外気温センサを収容したセンサケースを取付け、その上に天板を被せて固定するものが開示されている。
【特許文献１】特開２００４−２０５１０６号公報
【発明の開示】
【発明が解決しようとする課題】
【０００３】
ところで、上述の［特許文献１］の技術では、補助板に凹部が形成され、この凹部にセンサケースが取付けられているので、凹部を外気取り込み量の多い位置に設けることにより、高い精度で外気温を検出することができ、補助板により室外機筐体の剛性を高めることができる反面、補助板が必要であるところから部品点数が増え、部品費が嵩み、組立工数が増える。
また、外気温センサのリード線を補助板に沿って配線し、室外制御基板に接続する必要があるため、配線作業に手間がかかる。
【０００４】
本発明は、上記事情に着目してなされたものであり、その目的とするところは、外気温センサを収納するセンサケースの室外機への取付けを、別途部品を不要として確実に行え、部品点数の削減と、センサケースの取付け作業の迅速化を図り、工数およびコストの低減化に寄与する空気調和装置の室外機を提供しようとするものである。
【課題を解決するための手段】
【０００５】
上記課題を解決し目的を達成するために本発明の空気調和装置の室外機は、圧縮機と、熱交換器と、この熱交換器に対向して配置される送風機とを内部に収納する筐体と、前記熱交換器の外側に設けられ、外気温を検知する外気温センサと、この外気温センサを収納する外気温センサケースと、上記圧縮機、送風機などを駆動制御するための制御部品が装着され、前記外気温センサが接続される制御基板等を収納する電気部品箱とを具備した空気調和装置の室外機において、前記筐体の背面側の側面板に設けられ、外方へ膨出する係止部と、外気温センサケースの側面に設けられ、前記係止部に挿入される係止片とを具備したことを特徴とする
【発明の効果】
【０００６】
本発明によれば、外気温センサを収納するセンサケースの室外機への取付けを、別途部品を不要として確実に行え、部品点数の削減と、センサケースの取付け作業の迅速化を図り、工数およびコストの低減化に寄与する等の効果を奏する。
【発明を実施するための最良の形態】
【０００７】
以下、図面を参照しながら、本発明の実施の形態について詳細に説明する。
図１は室外機の外観を示す斜視図、図２は室外機の内部を示す斜視図、図３は室外機の背面図である。  
室外機本体１は所定の奥行き寸法を有する正面視で矩形状の筐体であり、送風機８、熱交換器９、圧縮機１０等が載置される底板２と、この底板２から立設され前面を覆う前面板３、両側面を覆う側面板４、５、および前面板３、側面板４、５によって形成される上部開口を覆う天板６により構成されている。天板６は、平面部の天井部６ａと、平面部６ａの周端から垂直方向に延出して設けられ、前面板３、側面板４、５にネジ等で固定される固定部６bとからなる。
【０００８】
室外機本体１の内部は、仕切り板７によって二分されている。
送風機８と熱交換器９は仕切り板７によって仕切られる一方の室に配置されており、ここを熱交換室１Ａと呼ぶ。上記仕切り板７によって仕切られる室外機本体１内部の他方室を機械室１Ｂと呼ぶ。
【０００９】
熱交換室１Ａは、前面板３、側面板５、熱交換器９および仕切板７により囲まれている。前面板３には、吹出口３ｂが開口され、この吹出口３ｂの室外機筐体外側にファンガード３ａが取付けられ、内側に図示しないベルマウスが設けられている。熱交換室１Ａ内部で上記ベルマウスと対向する位置には送風機８が配置され、送風方向を吹出口３ｂに向けている。
熱交換器９は、複数枚の放熱フィンとこの放熱フィンを貫通する複数本の伝熱管からなるフィンアンドチューブ型の熱交換器であり、室外機本体１の側面板５および背面に沿って平面視で略Ｌ字状に屈曲形成され、送風機８を囲むように配置されている。熱交換器９のＬ字長辺部と対向する室外機本体１の背面側は開放され、Ｌ字短辺部と対向する室外機本体１の側面板５は図示しない空気吸込み口が開口される。
【００１０】
機械室１Ｂは、前面板３の一側部と、側面板４と、仕切り板７により囲まれている。この機械室１Ｂには、圧縮機１０とアキュームレータ１１と弁類およびこれらに接続される配管類が収容される。
【００１１】
仕切り板７の上端一部は切欠加工されていて、この部分のみ室外機本体１の天板６と離間している。仕切り板７切欠端部と天板６との間に電気部品箱１２が介在されていて、電気部品箱１２は一部が上記熱交換室１Ａに突出し、残りの一部が機械室１Ｂに位置する。
【００１２】
電気部品箱１２は機械室１Ｂに位置する部分が開口する箱体であり、この天板部１２ａが室外機本体１の天板６とほとんど接触するよう室外機本体１に取付けられる。天板部１２ａの裏面側全面に亘って図示しない制御基板が取付けられる。この制御基板には、送風機８、圧縮機１０等の電動部品を駆動制御するための制御部品が実装されるとともに、送風機８、圧縮機１０等のリード線が接続される複数のコネクタが配置されている。
【００１３】
また、制御基板には、外気温を検出するための外気温センサ１３（図５）のリード線接１３ａが接続される。この外気温センサ１３は外気温センサケース２０に収納され、室外機本体１の背面側に位置する熱交換器９の背面側上部に取付けられる。
なお、図２に示すように、機械室１Ｂに配置された電気部品箱１２と仕切板を介して対向する位置に外気温センサケース２０を取付けることによりリード線１３ａを短くすることができ、配線作業が容易に行える。
【００１４】
側面板４は、その一側部が室外機本体１の背面まで回り込むように設けられ、熱交換器９の背面側の一部を覆うように設けられている。側面板４の背面側上部には、後述する外気温センサケース２０を係止する外側に膨出した係止部４ａがプレス加工により側面板４と一体に成形されており、この係止部４ａにより側面板４の内側に係止空間部４ｂが形成される。この係止空間部４ｂに後述する外気温センサケース２０の係止片２４が挿入される。
【００１５】
つぎに、外気温センサケース２０について詳述する。
図４は外気温センサケース２０の斜視図、図５は外気温センサケースを開いた状態を示す斜視図、図６は外気温センサケースの取付け状態を示す図である。
外気温センサケース２０は耐候性の合成樹脂材からなる縦長の長方体で、外気温センサ１３を保持し、熱交換器９に対向するセンサ保持部２１と、このセンサ保持部２１を覆い、センサ保持部２１を対向する面が開口した箱状のセンサカバー部２２とが、それぞれの下端部をヒンジ部３０を介して一体に成形され、センサ保持部２１にセンサカバー部２２が被さるようになっている。
また、センサ保持部２１には、センサカバー部２２と結合するために複数の爪部２７が設けられ、センサカバー部２２には爪部２７が挿入、掛止される掛止用孔２８が設けられている。
【００１６】
センサ保持部２１には、複数の通気孔２１ａが設けられ、上下方向に一対の爪部２１ｂが設けられている。この爪部２１ｂは弾性変形自在であり、ここに外気温センサ１３が挿入固定される。また、センサ保持部２１には、その上端部に熱交換器９の上端部に係止される上部係止片２３が一体に設けられている。上部係止片２３は、センサ保持部２１の上端部から垂直方向に突出する垂直部２３ａと、この垂直部の端部から略直角に折り曲げられた水平部２３ｂとからなる。垂直部２３ａには外気温センサ１３のリード線１３ａをセンサ保持部２１から外へ案内する溝部２３ｃが設けられ、水平部２３ｂには、リード線１３ａを保持する保持片２３ｄが設けられている。
また、センサ保持部２１には、その両側端部から突出して熱交換器９の伝熱管を挟持する２対の挟持片２６が設けられている。
【００１７】
一方、外気温センサケース２０のカバー部２２は、上述のようにセンサ保持部２１に対向する面が開口した箱形状をなし、開口面と対向する面には複数の通気孔２２ａが設けられ、外気をケース内部に取り込むようになっている。また、センサカバー部２２には、室外機本体１の側面板４に設けられた係止部４ａに係止される側部係止片２４が設けられている。この側部係止片２４は、センサカバー部２２長手方向の一側面端縁から幅方向に突出して一体に設けられる。また、センサカバー部２２の上端部には、リード線１３ａを天板６固定片６ｂの端部から保護するリード線保護部２５が設けられ、このリード線保護部２５には、溝部２３ｂと対向する位置に溝部２５ａが設けられており、この溝部２５ａと溝部２３ｂとでリード線１３ａの導出口２９が形成される。
【００１８】
外気温センサケース２０は、外気温センサ１３をセンサ保持部２１の爪部２１ｂに固定し、リード線１３ａを溝部２３ｃに沿って引き出したのち、センサ保持部２１とセンサカバー部２２とが結合されることで外気温センサ１３を内部に収納する。
【００１９】
外気温センサ１３を内部に収容した外気温センサケース２０は、その上部係止片２３を熱交換器９の背面側上端部に引っ掛けながら、挟持片２６を熱交換機９の放熱フィン間に挿入して伝熱管を挟持することにより熱交換器９に取り付けられる。このとき、外気温センサケース２０の側部係止片２４を熱交換器９の背面側端板９ａに当接させて外気温センサケース２０の位置決めを行う。
さらに、外気温センサケース２０の側部係止片２４が側面板４の係止部４ａにより形成される係止空間部４ｂに挿入され、リード線保護部２５が天板６の固定片６ｂにより押えられるので外気温ケース２０は筐体１に確実に固定される。
【００２０】
上記構成では、外気温センサケース２０は側面板４により係止されるので別途固定用部品を必要とせず、容易に確実に室外機筐体１に固定される。
また、上記構成では、リード線１３ａがリード線保護部２５により覆われているので、天板６の固定片部６ｂの端部と接して断線する恐れがない。
また、上記構成では、外気温センサケース２０の側部係止片２４を熱交換器９の背面側端板９ａに当接させることで、外気温センサケース２０の取付位置の位置決めが容易に行える。
また、上記構成では、外気温センサケース２０の取付け箇所が、電気部品箱２０と近接しているのでリード線１３ａが短くてすみ、配線作業が容易に行える。
【００２１】
また、本発明においては上述した実施の形態そのままに限定されるものではなく、実施段階ではその要旨を逸脱しない範囲で構成要素を変形して具体化できる。そして、上述した実施の形態に開示されている複数の構成要素の適宜な組み合わせにより種々の発明を形成できる。
【図面の簡単な説明】
【００２２】
【図１】本発明の実施の形態に係る、空気調和装置室外機を示す外観斜視図。
【図２】同実施の形態に係る、室外機の内部を示す斜視図。
【図３】同実施の形態に係る、室外機の背面図。
【図４】同実施の形態に係る、外気温センサケースの斜視図。
【図５】同実施の形態に係る、外気温センサケースの開いた状態を示す斜視図
【図６】同実施の形態に係る、外気温センサケースの取付け状態を示す図。
【符号の説明】
【００２３】
１…室外機筐体、４…側面板、４ａ…係止部、７…仕切板、８…送風機、９…熱交換器、９ａ…熱交換器背面側端板、１０…圧縮機、１２…電気部品箱、１３…外気温センサ、１３ａ…リード線、２０…外気温センサケース、２３…上部係止片、２４…側部係止片
【図１】
2006200874.tif 000003
【図２】
2006200874.tif 000004
【図３】
2006200874.tif 000005
【図４】
2006200874.tif 000006
【図５】
2006200874.tif 000007
【図６】
2006200874.tif 000008